(57)【要約】【課題】複数の陰極管を均一な明るさで発光させつつ、コストダウンおよび小型化を図る上で有利なトランスおよびバックライト装置並びに表示装置を提供する。【解決手段】１１次巻線巻回部１５と２つの２次巻線巻回部１７との間のギャップＧを第１の所定値Ｇ０以上の寸法でそれぞれ形成し、各ギャップＧ０により第１の１次巻線１４Ａと第１、第２の２次巻線１６Ａ、１６Ｂとの間の結合係数Ｋをそれぞれ第２の所定値Ｋ０以下とすることにより、各２次巻線１６Ａ〜１６Ｄに接続された第１乃至第８陰極管Ｌ１〜Ｌ８のそれぞれの電流の変動の影響が他の陰極管Ｌに与える影響を抑制するようにした。【選択図】図２
2008153384.tif 000002
【特許請求の範囲】
【請求項１】
軸心上に１次巻線が巻回されて構成された１次巻線巻回部と前記１次巻線巻回部の両側にそれぞれ前記軸心方向に沿ったギャップを介在させて２次巻線がそれぞれ巻回されて構成された２次巻線巻回部とを備えたトランスであって、
前記各ギャップを第１の所定値以上の寸法でそれぞれ形成し、
前記各ギャップにより前記１次巻線と前記２つの２次巻線との間の結合係数をそれぞれ第２の所定値以下とした、
ことを特徴とするトランス。
【請求項２】
前記第１の所定値は５ｍｍ以上、１０ｍｍ以下である、
ことを特徴とする請求項１記載のトランス。
【請求項３】
前記第１の所定値は７ｍｍ以上、１０ｍｍ以下である、
ことを特徴とする請求項１記載のトランス。
【請求項４】
前記第２の所定値は０．５以上、０．８８以下である、
ことを特徴とする請求項１記載のトランス。
【請求項５】
前記第２の所定値は０．５以上、０．８７以下である、
ことを特徴とする請求項１記載のトランス。
【請求項６】
前記２次巻線の中性点に対応する箇所に２つの中間端子を設け、
前記２つの中間端子のそれぞれに入力端子が接続されたフォトカプラを設け、
前記フォトカプラは出力端子を備える、
ことを特徴とする請求項１記載のトランス。
【請求項７】
前記トランスは、前記１次巻線に第１の高周波電圧が供給されることにより前記２次巻線から前記第１の高周波電圧よりも高い電圧の第２の高周波電圧を出力するとともに、その第２の高周波電圧を陰極管に供給することで前記陰極管を発光させるものであり、
前記１つの２次巻線は、１つ、または、２つの前記陰極管に前記第２の高周波電圧を供給することで、前記１つまたは２つの陰極管を発光させるように構成されている、
ことを特徴とする請求項１記載のトランス。
【請求項８】
前記トランスは、ボビンと、ケースと、封止材と、鉄心とを備え、
前記１次巻線巻回部と前記２つの２次巻線巻回部は前記ギャップを介在させて前記ボビンに設けられ、
前記ケースは、底板と、前記底板に設けられ前記１次巻線巻回部と前記２つの２次巻線巻回部を収容する凹部と、前記凹部の対向する面に設けられた開口とを備え、
前記封止材は、前記ボビンが、前記１次巻線巻回部と前記２つの２次巻線巻回部が前記凹部に収容され前記底板上に載置された状態で前記底板上に流し込まれてそれら１次巻線巻回部と前記２つの２次巻線巻回部を含む前記ボビンを封止しており、
前記鉄心は前記凹部の開口から前記１次巻線巻回部と前記２つの２次巻線巻回部の軸心上に配置されている、
ことを特徴とする請求項１記載のトランス。
【請求項９】
前記１次巻線巻回部と前記２つの２次巻線巻回部が設けられた前記ボビンは、それら巻線の軸心方向が平行するように前記ケース上に２つ設けられている、
ことを特徴とする請求項８記載のトランス。
【請求項１０】
第１の高周波電圧を発生する高周波電圧生成部と、
前記高周波電圧生成部から供給される前記第１の高周波電圧から該第１の高周波電圧よりも高い電圧の第２の高周波電圧を生成するトランスと、
前記第２の高周波電圧が供給されることで発光する複数の陰極管とを備えるバックライト装置であって、
前記トランスは、
軸心上に１次巻線が巻回されて構成された１次巻線巻回部と前記１次巻線巻回部の両側にそれぞれ前記軸心方向に沿ったギャップを介在させて２次巻線がそれぞれ巻回されて構成された２次巻線巻回部とを備え、
前記各ギャップを第１の所定値以上の寸法でそれぞれ形成し、
前記各ギャップにより前記１次巻線と前記２つの２次巻線との間の結合係数をそれぞれ第２の所定値以下とし、
前記１次巻線に前記第１の高周波電圧が供給され、
前記２次巻線は前記第２の高周波電圧を前記複数の陰極管に供給する、
ことを特徴とするバックライト装置。
【請求項１１】
画像を表示する液晶パネルと、
前記液晶パネルを照明するバックライト装置とを備える表示装置であって、
前記バックライト装置は、
第１の高周波電圧を発生する高周波電圧生成部と、
前記高周波電圧生成部から供給される前記第１の高周波電圧から該第１の高周波電圧よりも高い電圧の第２の高周波電圧を生成するトランスと、
前記第２の高周波電圧が供給されることで発光する複数の陰極管とを備え、
前記トランスは、
軸心上に１次巻線が巻回されて構成された１次巻線巻回部と前記１次巻線巻回部の両側にそれぞれ前記軸心方向に沿ったギャップを介在させて２次巻線がそれぞれ巻回されて構成された２次巻線巻回部とを備え、
前記各ギャップを第１の所定値以上の寸法でそれぞれ形成し、
前記各ギャップにより前記１次巻線と前記２つの２次巻線との間の結合係数をそれぞれ第２の所定値以下とし、
前記１次巻線に前記第１の高周波電圧が供給され、
前記２次巻線は前記第２の高周波電圧を前記複数の陰極管に供給する、
ことを特徴とする表示装置。
【発明の詳細な説明】
【技術分野】
【０００１】
本発明はトランスおよびバックライト装置並びに表示装置に関する。
【背景技術】
【０００２】
透過型の液晶パネルをバックライト装置を用いて照明する表示装置が提供されている。
前記バックライト装置は、冷陰極管と、冷陰極管に１ｋＶ以上の高周波電圧を供給する駆動回路（インバータ回路）を備えている。
多くの場合、前記駆動回路は、直流電圧から高圧の高周波電圧を生成するためのトランス（インバータトランス）を含んでいる。
従来、駆動回路は、１つの冷陰極管に１つのトランスを設ける構成が主流であったが、省電力化を図るために１個のトランスで多数の冷陰極管を駆動するようにした構成が採用されるようになってきている。
ところで、複数の冷陰極管の明るさを均一に保持するためには、各冷陰極管の管電流を均一にする必要がある。そのため、トランスと各冷陰極管との間に、管電流のばらつきを抑制するためのバランストランス、あるいは、バランスコンデンサを設けた駆動回路が提供されている（特許文献１参照）。
【特許文献１】特開２００６−１４００５５号公報
【発明の開示】
【発明が解決しようとする課題】
【０００３】
しかしながら、このようなバランストランスやバランスコンデンサは、例えば冷陰極管と同じ数だけ設けなくてはならないため、部品コストがかさむだけでなく、部品の配置スペースを確保しなくてはならず小型化を図る上でも不利となっている。
本発明はこのような事情に鑑みなされたものであり、その目的は、バランストランスやバランスコンデンサを用いることなく複数の陰極管を均一な明るさで発光させつつ、コストダウンおよび小型化を図る上で有利なトランスおよびバックライト装置並びに表示装置を提供することにある。
【課題を解決するための手段】
【０００４】
上述の目的を達成するため、本発明は、軸心上に１次巻線が巻回されて構成された１次巻線巻回部と前記１次巻線巻回部の両側にそれぞれ前記軸心方向に沿ったギャップを介在させて２次巻線がそれぞれ巻回されて構成された２次巻線巻回部とを備えたトランスであって、前記各ギャップを第１の所定値以上の寸法でそれぞれ形成し、前記各ギャップにより前記１次巻線と前記２つの２次巻線との間の結合係数をそれぞれ第２の所定値以下としたことを特徴とする。
また本発明は、第１の高周波電圧を発生する高周波電圧生成部と、前記高周波電圧生成部から供給される前記第１の高周波電圧から該第１の高周波電圧よりも高い電圧の第２の高周波電圧を生成するトランスと、前記第２の高周波電圧が供給されることで発光する複数の陰極管とを備えるバックライト装置であって、前記トランスは、軸心上に１次巻線が巻回されて構成された１次巻線巻回部と前記１次巻線巻回部の両側にそれぞれ前記軸心方向に沿ったギャップを介在させて２次巻線がそれぞれ巻回されて構成された２次巻線巻回部とを備え、前記各ギャップを第１の所定値以上の寸法でそれぞれ形成し、前記各ギャップにより前記１次巻線と前記２つの２次巻線との間の結合係数をそれぞれ第２の所定値以下とし、前記１次巻線に前記第１の高周波電圧が供給され、前記２次巻線は前記第２の高周波電圧を前記複数の陰極管に供給することを特徴とする。
また本発明は、画像を表示する液晶パネルと、前記液晶パネルを照明するバックライト装置とを備える表示装置であって、前記バックライト装置は、第１の高周波電圧を発生する高周波電圧生成部と、前記高周波電圧生成部から供給される前記第１の高周波電圧から該第１の高周波電圧よりも高い電圧の第２の高周波電圧を生成するトランスと、前記第２の高周波電圧が供給されることで発光する複数の陰極管とを備え、前記トランスは、軸心上に１次巻線が巻回されて構成された１次巻線巻回部と前記１次巻線巻回部の両側にそれぞれ前記軸心方向に沿ったギャップを介在させて２次巻線がそれぞれ巻回されて構成された２次巻線巻回部とを備え、前記各ギャップを第１の所定値以上の寸法でそれぞれ形成し、前記各ギャップにより前記１次巻線と前記２つの２次巻線との間の結合係数をそれぞれ第２の所定値以下とし、前記１次巻線に前記第１の高周波電圧が供給され、前記２次巻線は前記第２の高周波電圧を前記複数の陰極管に供給することを特徴とする。
【発明の効果】
【０００５】
本発明によれば、１次巻線巻回部と２つの２次巻線巻回部との間のギャップを第１の所定値以上の寸法でそれぞれ形成し、各ギャップにより１次巻線と２つの２次巻線との間の結合係数をそれぞれ第２の所定値以下とすることにより、各２次巻線に接続された陰極管の電流の変動の影響が他の陰極管に与える影響を抑制することができる。
したがって、従来のようにバランストランスやバランスコンデンサを用いることなく複数の陰極管を均一な明るさで発光させることができ、コストダウンおよび小型化を図る上で有利となる。
【発明を実施するための最良の形態】
【０００６】
（第１の実施の形態）
次に本発明の第１の実施の形態について図面を参照して説明する。
図１は本実施の形態のトランス１０の構成を示す分解図、図２はトランス１０の要部の構成を示す分解図、図３（Ａ）は図１のＡ矢視図、（Ｂ）は図１のＢ矢視図、図４は図１のＹＹ線断面図、図５は図４のＡ矢視図、図６は図４のＢＢ線断面図、図７は図４のＣＣ線断面図、図８は図１のＡＡ線から見たトランス１０の断面図である。
図１に示すように、トランス１０はケース２０を有し、ケース２０には、ボビン１２が組み込まれている。
本実施の形態では、ボビン１２として第１、第２の２つのボビン１２Ａ、１２Ｂが用いられている。
第１、第２のボビン１２Ａ、１２Ｂは絶縁性を有する合成樹脂材料で形成され、このような合成樹脂材料として、例えばＰＢＴ（ポリブチレンテレフタレート）が採用可能である。
各ボビン１２Ａ、１２Ｂは、軸心上でそれぞれ１次巻線１４が巻回されて構成された１次巻線巻回部１５と、２つの２次巻線１６がそれぞれ巻回されて構成された２つの２次巻線巻回部１７を含んで構成されている。
詳細に説明すると、第１のボビン１２Ａは、第１の１次巻線１４Ａが巻回されて構成された第１の１次巻線巻回部１５Ａと、第１、第２の２次巻線１６Ａ、１６Ｂが巻回されて構成された第１、第２の２次巻線巻回部１７Ａ、１７Ｂとを含んでいる。第１、第２の２次巻線１６Ａ、１６Ｂは、第１の１次巻線１４Ａと同軸上で１次巻線１４Ａの両側に巻回されている。
第２のボビン１２Ｂは、第２の１次巻線１４Ｂが巻回されて構成された第２の１次巻線巻回部１５Ｂと、第３、第４の２次巻線１６Ｃ、１６Ｄが巻回されて構成された第３、第４の２次巻線巻回部１７Ｃ、１７Ｄとを含んでいる。第３、第４の２次巻線１６Ｃ、１６Ｄは、第２の１次巻線１４Ｂと同軸上で１次巻線１４Ｂの両側に巻回されている。
そして、それら巻線が巻回された２つのボビン１２Ａ、１２Ｂがケース２０に収容されるともに、２つの鉄心１８Ａ、１８Ｂがケース２０の外部から巻線の軸心方向に沿って各ボビン１２Ａ、１２Ｂに挿通される。すなわち、第１、第２の１次巻線巻回部１５Ａ、１５Ｂおよび第１乃至第４の２次巻線巻回部１７Ａ、１７Ｂ、１７Ｃ、１７Ｄに、それらの軸心方向から２つの鉄心１８Ａ、１８Ｂが挿入される。
そして、ケース２０内で２つのボビン１２Ａ、１２Ｂが封止材で封止されることでトランス１０が構成されている。
【０００７】
詳細に説明すると、図２に示すように、第１、第２のボビン１２Ａ、１２Ｂは、共に同一の形状であり、それぞれ断面が矩形枠状の第１乃至第３の３つの筒部２２Ａ、２２Ｂ、２２Ｃと、板状の第１乃至第４の４つの板部２４Ａ、２４Ｂ、２４Ｃ、２４Ｄとを含んで構成されている。
第１板部２４Ａは第１筒部２２Ａに連結されている。
第２板部２４Ｂは第１筒部２２Ａと第２筒部２２Ｂとを連結している。
第３板部２４Ｃは第２筒部２２Ｂと第３筒部２２Ｃとを連結している。
第４板部２４Ｄは第３筒部２２Ｃに連結されている。
そして、第１乃至第３筒部２２Ａ、２２Ｂ、２２Ｃは、第１乃至第４板部２４Ａ、２４Ｂ、２４Ｃ、２４Ｄにより同一軸心を延在するように連結されている。
第１乃至第４板部２４Ａ、２４Ｂ、２４Ｃ、２４Ｄは、図３および図８に示すように、第１乃至第３筒部２２Ａ、２２Ｂ、２２Ｃに接する箇所に設けられている。
第１乃至第３筒部２２Ａ、２２Ｂ、２２Ｃには、巻線の位置および軸心方向における巻線の幅を決定するための複数のフランジ１９がそれら筒部２２Ａ、２２Ｂ、２２Ｃの軸心方向に間隔をおいて設けられている。
第４板部２４Ｄは、第１乃至第３筒部２２Ａ、２２Ｂ、２２Ｃよりも大きな寸法の長さで形成されている。
そして、第２筒部２２Ｂは１次巻線巻回用筒部２６とされ、第１、第３筒部２２Ａ、２２Ｃは２次巻線巻回用筒部２８、３０とされる。
【０００８】
第１のボビン１２Ａでは、１次巻線巻回用筒部２６に第１の１次巻線１４Ａが巻回されて第１の１次巻線巻回部１５Ａが構成され、２つの２次巻線巻回用筒部２８、３０のうちの一方の２次巻線巻回用筒部２８に第１の２次巻線１６Ａが巻回されて第１の２次巻線巻回部１７Ａが構成され、他方の２次巻線巻回用筒部３０に第２の２次巻線１６Ｂが巻回されて第２の２次巻線巻回部１７Ｂが構成されている。
第１のボビン１２Ａでは、第４板部２４Ｄの端部の両側には第１の１次巻線１４Ａの両端がそれぞれ接続される端子ｗ１、ｗ２が設けられている。
また、第１のボビン１２Ａでは、第１板部２４Ａの端部と第２板部２４Ｂの端部に、第１の２次巻線１６Ａの両端がそれぞれ接続される端子ｖ１、ｖ２が設けられている。
また、第１のボビン１２Ａでは、第３板部２４Ｃの端部と第４板部２４Ｄの端部に、第２の２次巻線１６Ｂの両端がそれぞれ接続される端子ｖ３、ｖ４が設けられている。
【０００９】
第２のボビン１２Ｂでは、１次巻線巻回用筒部２６に第２の１次巻線１４Ｂが巻回されて第２の１次巻線巻回部１５Ｂが構成され、２つの２次巻線巻回用筒部２８、３０のうちの一方の２次巻線巻回用筒部２８に第３の２次巻線１６Ｃが巻回されて第３の２次巻線巻回部１７Ｃが構成され、他方の２次巻線巻回用筒部３０に第４の２次巻線１６Ｄが巻回されて第４の２次巻線巻回部１７Ｄが構成されている。
第２のボビン１２Ｂでは、筒部２２と離れた板部２４の端部に、第２の１次巻線１４Ｂの両端がそれぞれ接続される端子ｗ３、ｗ４が軸心を挟んで設けられている。
また、第２のボビン１２Ｂでは、１次巻線巻回用筒部２６と離れた筒部２２の端部の２箇所に、第３の２次巻線１６Ｃの両端がそれぞれ接続される端子ｖ５、ｖ６が設けられている。
また、第２のボビン１２Ｂでは、第４の２次巻線１６Ｄが巻回される２次巻線巻回用筒部３０の長手方向の両端に、第４の２次巻線１６Ｄの両端がそれぞれ接続される端子ｖ７、ｖ８が設けられている。
なお、各巻線は各巻線巻回用筒部に巻回された後、エポキシ樹脂やポリエステル樹脂などの絶縁ワニスが含浸、充填され硬化される。
【００１０】
本実施の形態では、トランス１０は、第１の１次巻線１４Ａと、第１、第２の２次巻線１６Ａ、１６Ｂからなる第１のトランス１０Ａと、第２の１次巻線１４Ｂと、第３、第４の２次巻線１６Ｃ、１６Ｄからなる第２のトランス１０Ｂとの２つのトランスで構成され、第１、第２の２次巻線１４Ａ、１４Ｂが直接接続されたものである。言い換えると、第１、第２のトランス１０Ａ、１０Ｂが本発明のトランスに相当している。
【００１１】
第１のボビン１２Ａでは、第１の１次巻線巻回部１５Ａと第１の２次巻線巻回部１７Ａとの間に、前記軸心に沿ったギャップＧが設けられている。また、第１の１次巻線巻回部１５Ａと第２の２次巻線巻回部１７Ｂとの間に、前記軸心に沿ったギャップＧが設けられている。それらギャップＧは等しい値で形成されている。
また、第２のボビン１２Ｂでは、第２の１次巻線巻回部１５Ｂと第３の２次巻線巻回部１７Ｃとの間に、前記軸心に沿ったギャップＧが設けられている。また、第２の１次巻線巻回部１５Ｂと第４の２次巻線巻回部１７Ｄとの間に、前記軸心に沿ったギャップＧが設けられている。それらギャップＧは等しい値で形成されている。
本実施の形態では、第１のボビン１２ＡのギャップＧと、第２のボビン１２ＢのギャップＧとは全て等しい値で形成されている。
【００１２】
図２に示すように、ケース１２は、平面視長方形状の底板３２と、底板３２の四辺から起立された側壁３４とを備えている。
本実施の形態では、ケース１２は絶縁性を有する合成樹脂材料で形成され、このような合成樹脂材料として、例えば変成ＰＰＯが採用可能である。
底板３２の長手方向の中間箇所にボビン収容用の凹部３６が長手方向と直交する方向に間隔をおいて２つ設けられている。
２つの凹部３６が設けられることで底板３２には、凹部３６の延在方向の一端に位置する第１板部３２０２と、凹部３６の延在方向の他端に位置する第２板部３２０４と、両側の側壁３４と２つの凹部３６との間に設けられた第３乃至第５板部３２０６、３２０８、３２１０とが形成される。
図４、図５に示すように、凹部３６の延在方向の両端に位置する壁部３２１２には、鉄心を挿通するための開口３２１４が形成されている。
【００１３】
図１に示すように、鉄心１８Ａ、１８ＢはいわゆるＥ型を呈し、本実施の形態では、フェライトで構成されている。
鉄心１８Ａ、１８Ｂは、それぞれ第４板部３２０８の下方に配置される中央磁脚部１８０２と、開口３２１４から凹部３６内の第１乃至第３筒部２２Ａ、２２Ｂ、２２Ｃに挿入される外側磁脚部１８０４とを有している。
中央磁脚部１８０２は、凹部３６の長手方向の両端で隣合う凹部３６の間から第４板部３２０８に沿って挿入された状態で互いにそれらの先端が当接する寸法で形成されている。
外側磁脚部１８０４は、凹部３６の長手方向両端の開口３２１４から凹部３６内に挿入された状態で互いにそれらの先端が当接する寸法で形成されている。
【００１４】
図２に示すように、第１のボビン１２Ａは、第１の１次巻線巻回部１５Ａと、第１の２次巻線巻回部１７Ａと、第２の２次巻線巻回部１７Ｂとが、それぞれ凹部３６に収容される。
第２のボビン１２Ｂは、第２の１次巻線巻回部１５Ｂと、第３の２次巻線巻回部１７Ｃと、第４の２次巻線巻回部１７Ｄとが、それぞれ凹部３６に収容される。
また、第１のボビン１２Ａでは、端子ｖ１は第１板部３２０２に載置され、端子ｖ２、ｖ３は第４板部３２０８に載置され、端子ｖ４、ｗ１、ｗ２は第２板部３２０４に載置されて配置される。
また、第２のボビン１２Ｂでは、端子ｖ５は第１板部３２０２に載置され、端子ｖ６、ｖ７は第３板部３２０６に載置され、端子ｖ８、ｗ３、ｗ４は第２板部３２０４に載置されて配置される。
次に各凹部３６の長手方向の両端から開口３２１４および第４板部３２０８の下面を通り巻線の軸心方向に沿って各鉄心１８Ａ、１８Ｂが挿通され、２つの鉄心１８Ａ、１８Ｂの中央磁脚部１８０２、外側磁脚部１８０４の先端をコアスペーサ、シリコーン熱硬化性接着剤等を挟んで当接することにより、それら中央磁脚部１８０２、外側磁脚部１８０４を通る磁路が形成される。その後上記シリコーン接着剤の硬化、１次巻線１４,２次巻き線１６の乾燥の為の高温（例えば105℃）での放置後、図８に示すように、凹部３６内および底板３２上に、溶融状態のエポキシ樹脂Ｐが流し込まれ、第１、第２のボビン１２Ａ、１２Ｂを封止する。
【００１５】
図９はトランス１０を用いたバックライト装置１００の構成を示す回路図である。
図９に示すように、バックライト装置１００は、陰極管Ｌ、トランス１０、第１の電源１０２、第２の電源１０４、バックライト制御／駆動回路１０６、スイッチング回路１０８、出力電圧検出回路１１０、出力電流検出回路１１２などを含んで構成されている。
陰極管Ｌは第１乃至第８の陰極管Ｌ１〜Ｌ８を含み、それぞれ冷陰極管（CCFT:Cold Cathode Fluorescent Tube）で構成され、トランス１０から供給される高周波電圧によって発光するものである。
第１の電源１０２はバックライト制御／駆動回路１０６に動作用の直流電源を供給するものである。
第２の電源１０４はスイッチング回路１０８に直流電圧を供給するものである。
【００１６】
スイッチング回路１０８は、第２の電源１０４から供給された直流電圧をバックライト制御／駆動回路１０６からの駆動信号に基づいてスイッチングすることで第１の高周波電圧を生成するものである。
本実施の形態では、スイッチング回路１０８は、２つのスイッチングトランジスタ（ＦＥＴ）Ｔ１、Ｔ２と、抵抗Ｒ１、Ｒ２と、コンデンサＣ０とを含んで構成されている。
すなわち、２つのトランジスタＴ１、Ｔ２のうちの一方のトランジスタＴ１のドレインは第２の電源１０４の出力端に接続され、トランジスタＴ１のソースは他方のトランジスタＴ２のドレインに接続され出力端を構成し、他方のトランジスタＴ２のソースはアースに接続されている。
そして、各トランジスタＴ１、Ｔ２のゲートに、抵抗Ｒ１、Ｒ２を介してバックライト制御／駆動回路１０６からの駆動信号（スイッチング信号）が供給されることで、各トランジスタＴ１、Ｔ２が交互にオン、オフし、これにより前記出力端からコンデンサＣ０を介して第１の高周波電圧がトランス１０へ供給されるように構成されている。
【００１７】
トランス１０の第１の１次巻線１４Ａの一端はスイッチング回路１０８（コンデンサＣ０）からの第１の高周波電圧が入力される入力端として構成され、第１の１次巻線１４Ａの他端は第２の１次巻線１４Ｂの一端に接続され、第２の１次巻線１４Ｂの他端はアースに接続されている。すなわち、第１の１次巻線１４Ａと第２の１次巻線１４Ｂとは直列接続されている。
トランス１０の第１の２次巻線１６Ａの一端は第１の陰極管Ｌ１の一方の電極に接続され、トランス１０の第１の２次巻線１６Ａの他端は第２の陰極管Ｌ２の一方の電極に接続されている。
トランス１０の第２の２次巻線１６Ｂの一端は第７の陰極管Ｌ７の一方の電極に接続され、トランス１０の第２の２次巻線１６Ｂの他端は第８の陰極管Ｌ８の一方の電極に接続されている。
トランス１０の第３の２次巻線１６Ｃの一端は第３の陰極管Ｌ３の一方の電極に接続され、トランス１０の第３の２次巻線１６Ｃの他端は第４の陰極管Ｌ４の一方の電極に接続されている。
トランス１０の第４の２次巻線１６Ｄの一端は第５の陰極管Ｌ５の一方の電極に接続され、トランス１０の第４の２次巻線１６Ｄの他端は第６の陰極管Ｌ６の一方の電極に接続されている。
【００１８】
出力電流検出回路１１２は、トランス１０から陰極管Ｌに流れる電流を検出するものであり、第１乃至第４のダイオードＤ１、Ｄ２、Ｄ３、Ｄ４、および抵抗Ｒ１によって構成されている。
すなわち、第１、第３、第５、第７の陰極管Ｌ１、Ｌ３、Ｌ５、Ｌ７の他方の電極は、第１のダイオードＤ１と第３のダイオードＤ３を介してアースに接続されている。
詳細には、第１のダイオードＤ１のカソードは各陰極管Ｌ１、Ｌ３、Ｌ５、Ｌ７の他方の電極に接続され、第１のダイオードＤ１のアノードはアースに接続されている。
また、第３のダイオードＤ３のアノードは各陰極管Ｌ１、Ｌ３、Ｌ５、Ｌ７の他方の電極に接続され、第３のダイオードＤ３のカソードは抵抗Ｒ１を介してアースに接続されている。
また、第２、第４、第６、第８の陰極管Ｌ２、Ｌ４、Ｌ６、Ｌ８の他方の電極は、第２のダイオードＤ２と第４のダイオードＤ４を介してアースに接続されている。
詳細には、第２のダイオードＤ２のカソードは各陰極管Ｌ２、Ｌ４、Ｌ６、Ｌ８の他方の電極に接続され、第２のダイオードＤ２のアノードはアースに接続されている。
また、第４のダイオードＤ４のアノードは各陰極管Ｌ２、Ｌ４、Ｌ６、Ｌ８の他方の電極に接続され、第４のダイオードＤ４のカソードは抵抗Ｒ１を介してアースに接続されている。
また、抵抗Ｒ１の一端はバックライト制御／駆動回路１０６に接続されており、これにより、第３、第４のダイオードＤ３、Ｄ４を介して陰極管Ｌ１〜Ｌ８に流れる電流（出力電流）の総和が抵抗Ｒ１の両端電圧としてバックライト制御／駆動回路１０６で検出されるように構成されている。
【００１９】
スイッチング回路１０８からトランス１０に供給された第１の高周波電圧は、トランス１０によって第１の高周波電圧よりも高い電圧の第２の高周波電圧に変換されて各陰極管Ｌ１〜Ｌ８に供給され、したがって、各陰極管Ｌ１〜Ｌ８に電流が供給され、これにより、各陰極管Ｌ１〜Ｌ８が点灯され発光する。
したがって、本実施の形態では、第１、第２の電源１０２、１０４、バックライト制御／駆動回路１０６、スイッチング回路１０８によって特許請求の範囲の高周波電圧生成部が構成されている。
詳細には、１つの２次巻線の両端に陰極管がそれぞれ接続されているので、１つの２次巻線に２つの陰極管が直列接続されたのと同じ状態となり、したがって、２つの陰極管に流れる電流は等しくなる。この際、２次巻線の中間に生じる中性点は２つの陰極管に流れる電流が等しくなるように多少変動し、したがって、２つの負荷（陰極管）にかかる電圧が同じではなく、２つの負荷に同じ電流が流れるように自動調整される。
この時、中性点を中心として２次巻線１６の両端に繋がるコンデンサー、陰極管など全てを含む回路の周波数特性が近似している事が前提となる。
【００２０】
なお、本実施の形態では、図９に示すように、第１、第２の２次巻線１６Ａ、１６Ｂは互いに同一の極性で巻回され、第３、第４の２次巻線１６Ｃ、１６Ｄは互いに同一の極性で巻回され、かつ、第１、第２の２次巻線１６Ａ、１６Ｂと第３、第４の２次巻線１６Ｃ、１６Ｄとは互いに極性が反対となっている。言い換えると、第１、第２の２次巻線１６Ａ、１６Ｂは互いに同一方向に巻回され、第３、第４の２次巻線１６Ｃ、１６Ｄは互いに同一方向巻回され、かつ、第１、第２の２次巻線１６Ａ、１６Ｂと第３、第４の２次巻線１６Ｃ、１６Ｄとは互いに巻回方向が反対となっている。
そして、第１、第３、第５、第７の陰極管Ｌ１、Ｌ３、Ｌ５、Ｌ７に供給される第２の高周波電圧の位相と、第２、第４、第６、第８の陰極管Ｌ２、Ｌ４、Ｌ６、Ｌ８に供給される第２の高周波電圧の位相とが互いに反転した状態となっている。
ここで、第１乃至第８の陰極管Ｌ１〜Ｌ８はこの順番で互いに平行して並べられている。すなわち、隣り合う陰極管Ｌ同士で、第２の高周波電圧の位相が互いに反対になるように配置されている。
このように、隣り合う陰極管Ｌに供給される第２の高周波電圧の位相が反対となっていると、それら第２の高周波電圧に重畳されたノイズを互いに打ち消すことができ、ノイズの低減を図る上で有利となっている。
【００２１】
出力電圧検出回路１１０は、第１乃至第４の陰極管Ｌ１〜Ｌ４の一方の電極からコンデンサＣ１〜Ｃ４を介して第１の電圧Ｅ１を検出するとともに、第５乃至第８の陰極管Ｌ５〜Ｌ８の一方の電極からコンデンサＣ５〜Ｃ８を介して第２の電圧Ｅ２を検出する。
そして、出力電圧検出回路１１０は、第１の電圧Ｅ１と第２の電圧Ｅ２とを比較し、それら電圧Ｅ１、Ｅ２が一致しているか否かを示す出力電圧検出信号をバックライト制御／駆動回路１０６に供給する。
【００２２】
バックライト制御／駆動回路１０６は、出力電流検出回路１１２を用いて検出した陰極管Ｌ１〜Ｌ８に流れる電流の総和に基づいてスイッチング回路１０８のオン、オフ期間を制御することで前記電流の総和が一定の値に維持されるように、言い換えると、各陰極管の明るさが一定に維持されるようにフィードバック制御を行う。
また、バックライト制御／駆動回路１０６は、出力電圧検出回路１１０からの出力電圧検出信号に基づいて電圧Ｅ１、Ｅ２が一致していれば各陰極管に異常の発生がないと判断し、それら電圧Ｅ１、Ｅ２が不一致であれば、各陰極管の何れかに点灯不良などの異常が発生したと判断してスイッチング回路１０８の動作を停止する。
【００２３】
次にトランス１０のギャップＧについて詳細に説明する。
従来、この種のトランスでは、損失を抑制し効率を向上させるために１次巻線と２次巻線との間の結合係数Ｋをなるべく１に近い値にすることが好ましく、したがって、１次巻線が巻回されて構成された１次巻線巻回部と、２次巻線が巻回されて構成された２次巻線巻回部とのギャップは４ｍｍ以内にしている。
このような結合係数Ｋが高いトランスにおいて１つの１次巻線に対して複数の２次巻線を設け、各２次巻線に陰極管を直接接続した場合について考える。
この場合、ある１つの陰極管で特性の変動が生じ電流値が変動すると、その電流値の変動が当該陰極管に接続された２次巻線から１次巻線を介して他の２次巻線に及ぼす影響が高いものとなる。これは前述したように結合係数が１に近いためである。
したがって、このような不都合を回避するために、従来は２次巻線と陰極管との間にバランストランスやバランスコンデンサなどを設けることにより、負荷側から見たトランスおよびバランストランス（バランスコンデンサ）を含む全体のインピーダンスを大きな値としておき、陰極管の電流の変動が生じ、言い換えると、インピーダンスの変動が生じたとしても、その変動量が全体のインピーダンスに比較して小さいものとなるようにし、これによって、陰極管の電流の変動の影響が他の陰極管に与える影響を抑制するようにしていた。
【００２４】
これに対して、本実施の形態では、上述のバランストランスやバランスコンデンサによって得ていた機能をトランス１０内部に持たせるようにしたものである。
すなわち、本実施の形態では、１次巻線巻回部１５と２つの２次巻線巻回部１７との間のギャップＧを第１の所定値Ｇ０以上の寸法でそれぞれ形成し、各ギャップＧ０により１次巻線１４と２つの２次巻線１６との間の結合係数Ｋをそれぞれ第２の所定値Ｋ０以下としている。
これにより、第１のトランス１０Ａにおいては、第１の１次巻線１４Ａと第１、第２の２次巻線１６Ａ、１６Ｂとの間に意図的にインピーダンスを形成させ、第２のトランス１０Ｂにおいては、第２の１次巻線１４Ｂと第３、第４の２次巻線１６Ｃ、１６Ｄとの間にも意図的にインピーダンスを形成させ、したがって、負荷側から見たトランス１０Ａ、１０Ｂのインピーダンスを大きな値としている。
ここで、各陰極管Ｌの電流の変動が生じることで負荷側のインピーダンスの変動が生じたとしても、その変動量はトランスと負荷を含めた全体のインピーダンスに比較して小さいものとなる。したがって、仮にある１つの陰極管Ｌの電流に変動が生じたとしても、その影響が他の陰極管Ｌに与える影響が抑制されることになる。
例えば、第１のトランス１０Ａでは、第１の陰極管Ｌ１の電流に変動が生じたとしても、その電流の変動の影響がこのトランス１０Ａに接続された残りの第２、第７、第８の陰極管Ｌ２、Ｌ７、Ｌ８の電流に与える影響が抑制され、第１、第２、第７、第８の陰極管Ｌ１、Ｌ２、Ｌ７、Ｌ８の電流がそれぞれ一定に保たれ、各陰極管Ｌの明るさが一定に保たれることになる。
同様に、例えば、第２のトランス１０Ｂでは、第３の陰極管Ｌ３の電流に変動が生じたとしても、その電流の変動の影響がこのトランス１０Ｂに接続された残りの第４、第５、第６の陰極管Ｌ４、Ｌ５、Ｌ６の電流に与える影響が抑制され、第３、第４、第５、第６の陰極管Ｌ３、Ｌ４、Ｌ５、Ｌ６の電流がそれぞれ一定に保たれ、各陰極管Ｌの明るさが一定に保たれることになる。
【００２５】
次に、２つの鉄心１８Ａ、１８Ｂによって形成される磁路について詳細に説明する。
本実施の形態では、各鉄心１８Ａ、１８Ｂの一方の外側磁脚部１８０４が第１のボビン１２Ａの第１の１次巻線巻回部１５Ａ、第１、第２の２次巻線巻回部１７Ａ、１７Ｂの軸心を通ることにより一方の外側磁脚部１８０４と中央磁脚部１８０２とによって第１の磁路が形成される。
また、各鉄心１８Ａ、１８Ｂの他方の外側磁脚部１８０４が第２のボビン１２Ｂの第２の１次巻線巻回部１５Ｂ、第３、第４の２次巻線巻回部１７Ｃ、１７Ｄの軸心を通ることにより他方の外側磁脚部１８０４と中央磁脚部１８０２とによって第２の磁路が形成される。
したがって、中央磁脚部１８０２が存在することにより第１、第２の磁路が分離されることから、第１のトランス１０Ａと、第２のトランス１０Ｂとの磁気回路の結合が弱いものとなる。
これにより、第１のトランス１０Ａの第１の１次巻線１４Ａと、第２のトランス１０Ｂの第３、第４の２次巻線１６Ｃ、１６Ｄとの結合係数Ｋはほぼ０．６程度と低いものとなり、したがって、第１のトランス１０Ａの第１の１次巻線１４Ａと、第２のトランス１０Ｂの第３、第４の２次巻線１６Ｃ、１６Ｄとの間に意図的にインピーダンスが形成されることになる。
同様に、第２のトランス１０Ｂの第２の１次巻線１４Ｂと、第１のトランス１０Ａの第１、第２の２次巻線１６Ａ、１６Ｂとの結合係数Ｋもほぼ０．６程度と低いものとなり、したがって、第２のトランス１０Ｂの第２の１次巻線１４Ｂと、第１のトランス１０Ａの第１、第２の２次巻線１６Ａ、１６Ｂとの間に意図的にインピーダンスが形成されることになる。
したがって、第１のトランス１０Ａと第２のトランス１０Ｂとの間の関係においても、負荷側から見たトランス１０Ａ、１０Ｂのインピーダンスを大きな値となり、前述したのと同様に、各陰極管Ｌの電流の変動が生じることで負荷側のインピーダンスの変動が生じたとしても、その変動量はトランス１０Ａ、１０Ｂと負荷を含めた全体のインピーダンスに比較して小さいものとなる。
したがって、仮に第１、第２のトランス１０Ａ、１０Ｂの一方に接続されている１つの陰極管Ｌの電流に変動が生じたとしても、その影響が第１、第２のトランス１０Ａ、１０Ｂの他方に接続されている陰極管Ｌに与える影響が抑制されることになる。
なお、鉄心として中央磁脚部１８０４がなく、２つの外側磁脚部１８０２のみを有するものを採用することも可能であるが、その場合には、前記結合係数Ｋがほぼ０．９となり、前記意図的なインピーダンスを形成することが難しく、したがって、Ｅ型の鉄心１８Ａ、１８Ｂを用いる場合に比較して上記の効果を得る上で不利となる。
【００２６】
次に第１の所定値Ｇ０、第２の所定値Ｋ０の具体例について実験結果を参照して説明する。
図１０は、ギャップＧおよび結合係数Ｋを変化させた際における陰極管Ｌの電流（ランプ電流）ＩＬとその電流のばらつきαの測定結果を示す図、図１１は同測定結果のデータを示す図である。
本例では、図１０、図１１に示すように、ギャップＧ（１次巻線巻回部１５と２次巻線巻回部１７との間の距離）を１．５ｍｍ、３．０ｍｍ、５．０ｍｍ、７．０ｍｍ、１０ｍｍの５段階に変えて測定を行った。なお、前記各ギャップＧに対応する結合係数Ｋはそれぞれ０．９、０．８９、０．８８、０．８７、０．８５である。
また、本例で用いた陰極管Ｌはその電流ＩＬの通常使用範囲が６ｍＡ乃至１０ｍＡである。
図１０から明らかなように、ギャップＧを７ｍｍ、１０ｍｍ（結合係数Ｋを０．８７、０．８５）とすると、電流ＩＬの通常使用範囲において電流のばらつきαが５％以下となる。
また、ギャップＧを５ｍｍ（結合係数Ｋを０．８８）とすると、電流の通常使用範囲において電流のばらつきαが５％以上１５％以下となる。
また、ギャップＧを３ｍｍ、１．５ｍｍ（結合係数Ｋを０．８９、０．９０）とすると、電流の通常使用範囲において電流のばらつきαが５％以上２０％以下となる。
上述の実験結果から、電流の通常使用範囲において電流のばらつきαを１５％以下とするためには、各ギャップＧの第１の所定値Ｇ０は少なくとも５ｍｍ以上、結合係数Ｋの第２の所定値Ｋ０は０．８８以下が好ましいといえる。
また、電流の通常使用範囲において電流のばらつきαを５％以下とするためには、各ギャップＧの第１の所定値Ｇ０は７ｍｍ以上、結合係数Ｋの第２の所定値Ｋ０は０．８７以下が好ましいといえる。
なお、第１の所定値Ｇ０の上限は、１０ｍｍ程度となる。これは陰極管Ｌを駆動するに足りる第２の高周波電圧をトランス１０Ａ、１０Ｂの２次巻線１６Ａ、１６Ｂ、１６Ｃ、１６Ｄから陰極管Ｌに供給するために必要な値である。
また、第２の所定値Ｋ０の下限は、結合係数Ｋの定義（算出式）から０．５となる。
なお、本実施の形態においてトランスの結合係数Ｋは以下の式（１）によって示される。
Ｋ＝（１−（ＬＯ／ＬＳ））０．５      （１）
ただし、ＬＯは２次巻線１６の両端を開放とした場合の１次巻線１４側から見たインダクタンス、ＬＳは２次巻線１６の両端をショートした場合の１次巻線１４側から見たインダクタンスである。
【００２７】
本実施の形態によれば、１次巻線巻回部１５と２つの２次巻線巻回部１７との間のギャップＧを第１の所定値Ｇ０以上の寸法でそれぞれ形成し、各ギャップＧ０により第１の１次巻線１４Ａと第１、第２の２次巻線１６Ａ、１６Ｂとの間の結合係数Ｋをそれぞれ第２の所定値Ｋ０以下とすることにより、各２次巻線１６Ａ〜１６Ｄに接続された第１乃至第８陰極管Ｌ１〜Ｌ８のそれぞれの電流の変動の影響が他の陰極管Ｌに与える影響を抑制するようにした。
したがって、従来のようにバランストランスやバランスコンデンサを用いることなく複数の陰極管Ｌを均一な明るさで発光させることができ、コストダウンおよび小型化を図る上で有利となる。
【００２８】
なお、本実施の形態では、２次巻線１６の両端にそれぞれ陰極管Ｌを接続することにより、１つの２次巻線１６で２つの陰極管Ｌを駆動する場合について説明した。
しかしながら、２次巻線１６の一端に１つの陰極管Ｌを接続し、２次巻線１６の他端をアースすることにより、１つの２次巻線１６で１つの陰極管Ｌを駆動することも可能である。
したがって、本発明のトランスをｎ個用いた場合、１つの２次巻線１６に２つの陰極管Ｌを接続する構成では、トランスによって駆動可能な陰極管Ｌの数は、４ｎ＝４、８、１２、……となる。
また、本発明のトランスをｎ個用いた場合、１つの２次巻線１６に１つの陰極管Ｌを接続する構成では、駆動可能な陰極管Ｌの数は、２ｎ＝２、４、６、……となる。
上述のことから、本発明のトランスをｎ個用いた場合に駆動可能な陰極管Ｌの数は、２ｎ＝２、４、６、８、１０、１２……となる。
【００２９】
なお、本実施の形態では、第１のトランス１０Ａにおいては、１次巻線１４の端子ｗ１、ｗ２と２次巻線１６の端子ｖ１〜ｖ４との距離を規定の寸法ｄ以上とすることで、安全規格を満たしている。
また、第２のトランス１０Ｂにおいては、１次巻線１４の端子ｗ３、ｗ４と２次巻線１６の端子ｖ５〜ｖ８との距離を規定の寸法ｄ以上とすることで、安全規格を満たしている。
前記規定の寸法ｄは式（２）で示される。
ｌｏｇ  ｄ＝０．７８ｌｏｇ（Ｖ／３００）      （２）
なお、式（２）においてｄを２ｄに置き換えることにより、いわゆる絶縁型トランスとしての高い絶縁性を確保した安全規格を満たすことができる。
【００３０】
（第２の実施の形態）
次に第２の実施の形態について説明する。
図１２は表示装置２００の構成を示すブロック図である。なお、以下の実施の形態では、第１の実施の形態と同様の部分には同一の符号を付して説明する。
第２の実施の形態は、第１の実施の形態のバックライト装置１００を用いて表示装置２００を構成した場合について説明する。
表示装置２００は、信号処理部２０２、駆動部２０４、液晶パネル２０６、バックライト装置１００を含んで構成されている。
信号処理部２０２は、この表示装置２００の外部、あるいは、内部に設けられた画像信号生成部から供給される画像信号に対して信号処理を行い、駆動部２０４に供給するものである。
駆動部２０４は、信号処理部２０２から供給される前記画像信号に基づいて液晶パネル２０６を駆動するための駆動信号を生成して液晶パネル２０６に供給するものである。
液晶パネル２０６は、２枚の透明なガラス基材と、それらガラス基材の間に挟まれた液晶層と、それらガラス基材の内面に設けられた透明電極と、カラーフィルターと、偏光板などを含んで構成されている。
バックライト装置１００は、第１の実施の形態で示したものであり、陰極管Ｌ１〜Ｌ８を駆動して発光させるものである。
陰極管Ｌ１〜Ｌ８は、液晶パネル２０６の背面に臨む箇所に配置されている。
バックライト装置１００により陰極管Ｌ１〜Ｌ８からの照明光が液晶パネル２０６を背面から照射した状態で、前記駆動信号が液晶パネル２０６に供給され前記液晶層の液晶が駆動されることで画像が表示される。
このような表示装置２００によっても、バックライト装置１００を用いることにより、第１の実施の形態と同様に、複数の陰極管を均一な明るさで発光させることができ、コストダウンおよび小型化を図る上で有利となる。
【００３１】
（第３の実施の形態）
次に第３の実施の形態について説明する。
図１３は第３の実施の形態のバックライト装置１００の構成を示すブロック図である。
第３の実施の形態は、各陰極管Ｌに供給される出力電流の検出を行う構成が第１の実施の形態と異なっており、その他の構成は第１の実施の形態と同様であるため、第１の実施の形態と異なる部分について説明する。
図１３に示すように、第３の実施の形態のトランス１０は、第１、第２のトランス１０Ａ、１０Ｂを備えている。
第１のトランス１０Ａは、第１の１次巻線１４Ａからなる第１の１次巻線巻回部１５Ａと、第１、第２の２次巻線１６Ａ、１６Ｂからなる第１、第２の２次巻線巻回部１７Ａ、１７Ｂとを備えている。また、第２のトランス１０Ｂは、第２の１次巻線１４Ｂからなる第２の１次巻線巻回部１５Ｂと、第３、第４の２次巻線１６Ｃ、１６Ｄからなる第３、第４の２次巻線巻回部１７Ｃ、１７Ｄとを備えている。
第１の２次巻線１６Ａは、その中性点に対応する中間箇所に２つの中間端子１６０２が設けられている。
２つの中間端子１６０２には、フォトカプラ４０の２つの入力端子４００２、４００４が接続されている。
フォトカプラ４０の２つの出力端子４００６、４００８のうち、一方の出力端子４００６は第１の電源１０２の出力電圧に接続され、他方の出力端子４００８は、バックライト制御／駆動回路１０６の出力電流検出信号入力端に接続されている。
したがって、第１の２次巻線１６Ａを流れる電流がフォトカプラ４０を介してバックライト制御／駆動回路１０６で検出されるようになっている。
第２、第３、第４の２次巻線１６Ｂ、１６Ｃ、１６Ｄについても、第１の２次巻線１６Ａと同様に、それら第２、第３、第４の２次巻線１６Ｂ、１６Ｃ、１６Ｄの中性点に対応する中間箇所に２つの中間端子１６０２が設けられ、それら中間端子１６０２にフォトカプラ４０の２つの入力端子４００２、４００４がそれぞれ接続されている。
そして、各フォトカプラ４０の２つの出力端子４００６、４００８のうち、一方の出力端子４００６は第１の電源１０２の出力電圧に接続され、他方の出力端子４００８は、バックライト制御／駆動回路１０６の出力電流検出信号入力端に接続されている。
したがって、第２、第３、第４の２次巻線１６Ｂ、１６Ｃ、１６Ｄを流れる電流がそれぞれフォトカプラ４０を介してバックライト制御／駆動回路１０６で検出されるようになっている。
バックライト制御／駆動回路１０６は、第１乃至第４の２次巻線１６Ａ、１６Ｂ、１６Ｃ、１６Ｄの電流の総和に基づいてスイッチング回路１０８のオン、オフ期間を制御することで前記電流の総和が一定の値に維持されるように、言い換えると、各陰極管Ｌの明るさが一定に維持されるようにフィードバック制御を行う。
【００３２】
第３の実施の形態によれば第１の実施の形態と同様の効果が奏されることは無論のこと、次の効果が奏される。
すなわち、第３の実施の形態では、第１の実施の形態と異なり、各陰極管Ｌの一方の電極からダイオード、抵抗を介してアースに流れる電流の総和（抵抗の電圧降下の総和）を検出する出力電流検出回路１１２を用いない。
そのため、各陰極管Ｌの電極が基板に直接半田付けされており、ダイオードや抵抗などを設けることができず、出力電流検出回路１１２を設けることができない構造であっても、各陰極管Ｌに流れる電流を検出してフィードバック制御を行うことができる。
なお、理論的には２次巻線１６の中性点はアースと同電位であるが、陰極管Ｌの特性のばらつきで２本の陰極管Ｌに流れる電流は同一であっても中性点とアース間に電位差が生じる。このため中間端子１６０２をアースに接続すると第１の実施の形態で示した２つの陰極管Ｌに流れる電流の自動調整の作用が働かなくなってしまう。
そのため、フォトカプラ４０を用いてアースと絶縁した状態で２次巻線１６の電流を検出することで、電流を前記電位差による影響を受けることなく正確に検出することが可能となる。
したがって、２次巻線１６の中性点を流れる電流をアースと絶縁した状態で検出できればよく、フォトカプラ４０に代えてトランスを用いてもよい。
【００３３】
（第４の実施の形態）
次に第４の実施の形態について説明する。
図１４は第４の実施の形態のトランス１０の断面図である。
第４の実施の形態は、第３の実施の形態のバックライト装置１００を実現するためのトランス１０の構造の一例を示すものである。
図１４に示すように、本実施の形態では、フォトカプラ４０を基板４２に実装し、基板４２を２つのボビン１２Ａ、１２Ｂと共にケース２０内に封止材Ｐで封止している。このような封止材Ｐとして、絶縁性を有する合成樹脂を用いることができ、このような合成樹脂としては例えばエポキシ樹脂が採用可能である。
基板４２は、トランス１０Ａ、１０Ｂの中間端子１６０２とフォトカプラ４０の入力端子４００２、４００４とを接続する配線パターンが形成されている。
また、基板４２は、フォトカプラ４０の出力端子４００６、４００８に接続された配線パターンを有している。そして、出力端子４００６、４００８が前記配線パターンおよび該配線パターンに接続された配線部材を介してケース２０の外側に設けられた第１の電源１０２、バックライト制御／駆動回路１０６にそれぞれ接続されている。
第４の実施の形態によれば、フォトカプラ４０を実装した基板４２をケース２０内に封止することでトランス１０を構成でき、小型化を図る上で有利となる。
また、このようにフォトカプラ４０を封止することで、絶縁性を向上させる上で有利となる。
なお、フォトカプラ４０を封止せずに、ケース２０の外部でフォトカプラ４０の入力端子４００２、４００４と中間端子１６０２とを接続し、また、フォトカプラ４０の出力端子４００６、４００８と第１電源１０２、バックライト制御／駆動回路１０６とをそれぞれ接続してもよい。
しかしながら、その場合には、中間端子１６０２やフォトカプラ４０の入力端子４００２、４００６、出力端子４００６、４００８の絶縁性を確保する必要上、配線の引き回しスペースを大きく確保せざるを得ず、小型化を図る上で不利となるが、本実施の形態のようにフォトカプラ４０をトランス１０のケース２０内に封止材Ｐを用いてに封止すると、そのような無駄な引き回しスペースが不要となるため、小型化を図る上で有利となる。
【００３４】
（第５の実施の形態）
次に第５の実施の形態について説明する。
図１５（Ａ）は第５の実施の形態のトランス１０の平面図、（Ｂ）は（Ａ）のＸＸ線断面図である。
第５の実施の形態は、第３の実施の形態におけるトランス１０の具体的な構造の他の例を示すものである。
第１の実施の形態では、端子ｗ１、ｗ２と端子ｖ４とを第１乃至第３筒部２２Ａ、２２Ｂ、２２Ｃの軸心方向に大きな寸法で離間させるとともに、端子ｗ３、ｗ４と端子ｖ８とを第１乃至第３筒部２２Ａ、２２Ｂ、２２Ｃの軸心方向に大きな寸法で離間させていたのに対し、第５の実施の形態では、端子ｗ１、ｗ２と端子ｖ２、ｖ３とを第１乃至第３筒部２２Ａ、２２Ｂ、２２Ｃの軸心方向と直交する方向に大きな寸法で離間させるとともに、端子ｗ３、ｗ４と端子ｖ６、ｖ７とを第１乃至第３筒部２２Ａ、２２Ｂ、２２Ｃの軸心方向と直交する方向に大きな寸法で離間させたものである。
【００３５】
第１の実施の形態と同様な部材に同一の符号を付して説明する。
図１５（Ａ）に示すように、第１のボビン１２Ａは、軸心上で第１の１次巻線１４Ａが巻回されて構成された第１の１次巻線巻回部１５Ａと、第１、第２の２次巻線１６Ａ、１６Ｂがそれぞれ巻回されて構成された第１、第２の２次巻線巻回部１７Ａ、１７Ｂを含んで構成されている。
第２のボビン１２Ｂは、軸心上で第２の１次巻線１４Ｂが巻回されて構成された第２の１次巻線巻回部１５Ｂと、第３、第４の２次巻線１６Ｃ、１６Ｄがそれぞれ巻回されて構成された第３、第４の２次巻線巻回部１７Ｃ、１７Ｄを含んで構成されている。
そして、それら巻線が巻回された２つのボビン１２Ａ、１２Ｂがケース２０に収容されるともに、第１、第２の１次巻線巻回部１５Ａ、１５Ｂおよび第１乃至第４の２次巻線巻回部１７Ａ、１７Ｂ、１７Ｃ、１７Ｄに、それらの軸心方向から２つの鉄心１８Ａ、１８Ｂが挿入される。
そして、ケース２０内で２つのボビン１２Ａ、１２Ｂが封止材Ｐで封止されることでトランス１０が構成されている。
【００３６】
詳細に説明すると、第１、第２のボビン１２Ａ、１２Ｂは、共に同一の形状であり、それぞれ断面が矩形枠状の第１乃至第３の３つの筒部２２Ａ、２２Ｂ、２２Ｃと、板状の第１乃至第４の４つの板部２４Ａ、２４Ｂ、２４Ｃ、２４Ｄとを含んで構成されている。
第１板部２４Ａは第１筒部２２Ａに連結されている。
第２板部２４Ｂは第１筒部２２Ａと第２筒部２２Ｂとを連結している。
第３板部２４Ｃは第２筒部２２Ｂと第３筒部２２Ｃとを連結している。
第４板部２４Ｄは第３筒部２２Ｃに連結されている。
そして、第１乃至第３筒部２２Ａ、２２Ｂ、２２Ｃは、第１乃至第４板部２４Ａ、２４Ｂ、２４Ｃ、２４Ｄにより同一軸心を延在するように連結されている。
第１乃至第４板部２４Ａ、２４Ｂ、２４Ｃ、２４Ｄは、第１乃至第３筒部２２Ａ、２２Ｂ、２２Ｃに接する箇所に設けられている。
第１乃至第３筒部２２Ａ、２２Ｂ、２２Ｃには、巻線の位置および軸心方向における巻線の幅を決定するための複数のフランジ１９がそれら筒部２２Ａ、２２Ｂ、２２Ｃの軸心方向に間隔をおいて設けられている。
そして、第２筒部２２Ｂは１次巻線巻回用筒部２６とされ、第１、第３筒部２２Ａ、２２Ｃは２次巻線巻回用筒部２８、３０とされる。
【００３７】
２つのボビン１２Ａ、１２Ｂは、ケース２０内でその軸心を平行させて配置される。
第５の実施の形態では、第１乃至第４板部２４Ａ、２４Ｂ、２４Ｃ、２４Ｄは、それぞれ第１乃至第３筒部２２Ａ、２２Ｂ、２２Ｃよりも小さな寸法の長さで形成されている。
そして、２つのボビン１２Ａ、１２Ｂの各第１乃至第４板部２４Ａ、２４Ｂ、２４Ｃ、２４Ｄの互いに向かい合う箇所と反対の箇所に、前記軸心方向と直交する方向にそれぞれアーム４４が突設されている。
【００３８】
第１のボビン１２Ａでは、１次巻線巻回用筒部２６に第１の１次巻線１４Ａが巻回されることで第１の１次巻線巻回部１５Ａが構成され、２つの２次巻線巻回用筒部２８、３０のうちの一方の２次巻線巻回用筒部２８に第１の２次巻線１６Ａが巻回されることで第１の２次巻線巻回部１７Ａが構成され、他方の２次巻線巻回用筒部３０に第２の２次巻線１６Ｂが巻回されることで第２の２次巻線巻回部１７Ｂが構成されている。
第１のボビン１２Ａでは、第２板部２４Ｂが第２ボビン１２Ｂに臨む箇所と、第３板部２４Ｃが第２ボビン１２Ｂに臨む箇所に、第１の１次巻線１４Ａの両端がそれぞれ接続される端子ｗ１、ｗ２が設けられている。
また、第１のボビン１２Ａでは、第１板部２４Ａのアーム４２の先端と、第２板部２４Ｂのアーム４２の先端に、第１の２次巻線１６Ａの両端がそれぞれ接続される端子ｖ１、ｖ２が設けられている。
また、第１のボビン１２Ａでは、第３板部２４Ｃのアーム４２の先端と、第４板部２４Ｄのアーム４２の先端に、第２の２次巻線１６Ｂの両端がそれぞれ接続される端子ｖ３、ｖ４が設けられている。
さらに、第１のボビン１２Ａでは、第１板部２４Ａが第２ボビン１２Ｂに臨む箇所に、第１の２次巻線１６Ａの２つの中間端子１６０２が設けられている。
また、第１のボビン１２Ａでは、第４板部２４Ｄが第２ボビン１２Ｂに臨む箇所に、第２の２次巻線１６Ｂの２つの中間端子１６０２が設けられている。
【００３９】
第２のボビン１２Ｂでは、１次巻線巻回用筒部２６に第２の１次巻線１４Ｂが巻回されることで第２の１次巻線巻回部１５Ｂが構成され、２つの２次巻線巻回用筒部２８、３０のうちの一方の２次巻線巻回用筒部２８に第３の２次巻線１６Ｃが巻回されることで第３の２次巻線巻回部１７Ｃが構成され、他方の２次巻線巻回用筒部３０に第４の２次巻線１６Ｄが巻回されることで第４の２次巻線巻回部１７Ｄが構成されている。
第２のボビン１２Ｂでは、第２板部２４Ｂが第１ボビン１２Ａに臨む箇所と、第３板部２４Ｃが第１ボビン１２Ａに臨む箇所に、第２の１次巻線１４Ｂの両端がそれぞれ接続される端子ｗ３、ｗ４が設けられている。
また、第２のボビン１２Ｂでは、第１板部２４Ａのアーム４２の先端と、第２板部２４Ｂのアーム４２の先端に、第３の２次巻線１６Ｃの両端がそれぞれ接続される端子ｖ５、ｖ６が設けられている。
また、第２のボビン１２Ｂでは、第３板部２４Ｃのアーム４２の先端と、第４板部２４Ｄのアーム４２の先端に、第４の２次巻線１６Ｄの両端がそれぞれ接続される端子ｖ７、ｖ８が設けられている。
さらに、第２のボビン１２Ｂでは、第１板部２４Ａが第１ボビン１２Ａに臨む箇所に、第３の２次巻線１６Ｃの２つの中間端子１６０２が設けられている。
また、第２のボビン１２Ｂでは、第４板部２４Ｄが第１ボビン１２Ａに臨む箇所に、第４の２次巻線１６Ｄの２つの中間端子１６０２が設けられている。
【００４０】
また、第１の実施の形態と同様に、第１のボビン１２Ａでは、第１の１次巻線巻回部１５Ａと第１の２次巻線巻回部１７Ａとの間に、前記軸心に沿ったギャップＧが設けられている。また、第１の１次巻線巻回部１５Ａと第２の２次巻線巻回部１７Ｂとの間に、前記軸心に沿ったギャップＧが設けられている。それらギャップＧは等しい値で形成されている。
また、第２のボビン１２Ｂでは、第２の１次巻線巻回部１５Ｂと第３の２次巻線巻回部１７Ｃとの間に、前記軸心に沿ったギャップＧが設けられている。また、第２の１次巻線巻回部１５Ｂと第４の２次巻線巻回部１７Ｄとの間に、前記軸心に沿ったギャップＧが設けられている。それらギャップＧは等しい値で形成されている。
本実施の形態では、第１のボビン１２ＡのギャップＧと、第２のボビン１２ＢのギャップＧとは全て等しい値で形成されている。
【００４１】
図１５（Ａ）、（Ｂ）に示すように、ケース１２は、平面視長方形状の底板３２と、底板３２の四辺から起立された側壁３４とを備えている。
底板３２の中央部にボビン収容用の凹部３６が長手方向と直交する方向に間隔をおいて２つ設けられている。
２つの凹部３６が設けられることで底板３２には、凹部３６の延在方向の一端に位置する第１板部３２０２と、凹部３６の延在方向の他端に位置する第２板部３２０４と、両側の側壁３４と２つの凹部３６との間に設けられた第３乃至第５板部３２０６、３２０８、３２１０とが形成される。
第１、第２、第３、第５板部３２０２、３２０４、３２０６、３２１０は、それぞれアーム４４が載置できる幅で形成されている。
図１５（Ｂ）に示すように、凹部３６の延在方向の両端に位置する壁部３２１２には、鉄心を挿通するための開口３２１４が形成されている。
【００４２】
鉄心１８Ａ、１８Ｂは、第１の実施の形態と同様に、Ｅ型を呈しフェライトで構成されている。
鉄心１８Ａ、１８Ｂは、それぞれ第４板部３２０８の下方に配置される中央磁脚部１８０２と、開口３２１４から凹部３６内の第１乃至第３筒部２２Ａ、２２Ｂ、２２Ｃに挿入される外側磁脚部１８０４とを有している。
中央磁脚部１８０２は、凹部３６の長手方向の両端で隣り合う凹部３６の間から第４板部３２０８に沿って挿入された状態で互いにそれらの先端が当接する寸法で形成されている。
外側磁脚部１８０４は、凹部３６の長手方向両端の開口３２１４から凹部３６内に挿入された状態で互いにそれらの先端が当接する寸法で形成されている。
【００４３】
第１のボビン１２Ａは、第１の１次巻線１４Ａが巻回された１次巻線巻回用筒部２６と、第１の２次巻線１６Ａが巻回された２次巻線巻回用筒部２８と、第２の２次巻線１６Ｂが巻回された２次巻線巻回用筒部３０とが、それぞれ凹部３６に収容される。
第２のボビン１２Ｂは、第２の１次巻線１４Ｂが巻回された１次巻線巻回用筒部２６と、第３の２次巻線１６Ｃが巻回された２次巻線巻回用筒部２８と、第４の２次巻線１６Ｄが巻回された２次巻線巻回用筒部３０とが、それぞれ凹部３６に収容される。
また、第１のボビン１２Ａでは、端子ｖ１はアーム４４と共に第１板部３２０２に載置され、端子ｖ２、ｖ３はアーム４４と共に第５板部３２１０に載置され、端子ｖ４はアーム４４と共に第２板部３２０４に載置されて配置される。
また、第１のボビン１２Ａでは、第１板部２４Ａに設けられた２つの中間端子１６０２は第１板部３２０２に載置され、第４板部２４Ｄに設けられた２つの中間端子１６０２は第４板部３２０４に載置される。
また、第２のボビン１２Ｂでは、端子ｖ５はアーム４４と共に第１板部３２０２に載置され、端子ｖ６、ｖ７はアーム４４と共に第３板部３２０６に載置され、端子ｖ８はアーム４４と共に第２板部３２０４に載置されて配置される。
また、第２のボビン１２Ｂでは、第１板部２４Ａに設けられた２つの中間端子１６０２は第１板部３２０２に載置され、第４板部２４Ｄに設けられた２つの中間端子１６０２は第４板部３２０４に載置される。
次に各凹部３６の長手方向の両端から開口３２１４および第４板部３２０８の下面を通り巻線の軸心方向に沿って各鉄心１８Ａ、１８Ｂが挿通され、２つの鉄心１８Ａ、１８Ｂの中央磁脚部１８０２、外側磁脚部１８０４の先端をコアスペーサ、シリコーン熱硬化性接着剤等を挟んで当接することにより、それら中央磁脚部１８０２、外側磁脚部１８０４を通る磁路が形成される。その後上記シリコーン接着剤の硬化、１次巻線１４,２次巻き線１６の乾燥の為の高温（例えば105℃）での放置後、図８に示すように、凹部３６内および底板３２上に、溶融状態のエポキシ樹脂Ｐが流し込まれ、第１、第２のボビン１２Ａ、１２Ｂを封止する。
【００４４】
第５の実施の形態によれば、第３の実施の形態のフォトカプラ４０を用いた回路構成と同様の効果が奏される。
また、第５の実施の形態によれば、第１の実施の形態と同様の効果が奏されることは無論のこと、次の効果が奏される。
すなわち、第１の実施の形態では、端子ｗ１、ｗ２と端子ｖ４とを第１乃至第３筒部２２Ａ、２２Ｂ、２２Ｃの軸心方向に大きな寸法で離間させるとともに、端子ｗ３、ｗ４と端子ｖ８とを第１乃至第３筒部２２Ａ、２２Ｂ、２２Ｃの軸心方向に大きな寸法で離間させることで、１次側と２次側との間の絶縁性を確保している。
これに対して、第５の実施の形態では、端子ｗ１、ｗ２と端子ｖ１〜ｖ４とを第１乃至第３筒部２２Ａ、２２Ｂ、２２Ｃの軸心方向と直交する方向に大きな寸法で離間させるとともに、端子ｗ３、ｗ４と端子ｖ５〜ｖ８とを第１乃至第３筒部２２Ａ、２２Ｂ、２２Ｃの軸心方向と直交する方向に大きな寸法で離間させることで、１次側と２次側との間の絶縁性を確保している。
したがって、第１の実施の形態では、トランス１０が、巻線巻回時に回転され遠心力が作用した場合、各ボビン１２Ａ、１２Ｂの第４板部２４Ｄの軸心方向（長さ方向）の寸法が大きいため、前記遠心力によって第４板部３２０４が厚さ方向に変形しやすい不利がある。
これに対して、第５の実施の形態では、第１、第２のボビン１２Ａ、１２Ｂの第１乃至第４板部２４Ａ、２４Ｂ、２４Ｃ、２４Ｄの軸心方向の寸法を第１の実施の形態に比較して短縮することができるため、トランス１０が、巻線巻回時に回転され遠心力が作用した場合であっても、前記遠心力によって第１乃至第４板部２４Ａ、２４Ｂ、２４Ｃ、２４Ｄが厚さ方向に変形しにくく、第１、第２のボビン１２Ａ、１２Ｂの強度を確保する上で有利となる。
【００４５】
（第６の実施の形態）
次に第６の実施の形態について説明する。
図１６（Ａ）は第６の実施の形態のトランス１０の平面図、（Ｂ）は（Ａ）のＸＸ線断面図である。
第６の実施の形態は、第５の実施の形態の変形例である。
第５の実施の形態では、第１、第２の２つのボビン１２Ａ、１２Ｂを用いてトランス１０を構成したが、第６の実施の形態では、１つのボビン１２を用いてトランス１０を構成している。
図１６（Ａ）、（Ｂ）に示すように、第６の実施の形態では、ボビン１２として第５の実施の形態の第１のボビン１２Ａのみを用いている。
この用いる第１のボビン１２Ａに対応し、ケース２０には単一の凹部３６が設けられ、また、第６の実施の形態のケース２０の幅は、第５の実施の形態のケース２０に比べて小さい寸法で形成されている。
また、この用いるボビン１２の数に対応し、鉄心１８の構造も、第５の実施の形態と異なって２つの磁脚部１８１０を有するＵ型となっている。
第１のボビン１２Ａがケース２０内に載置され、その上から封止材Ｐが流し込まれ、第１のボビン１２Ａが封止され、各凹部３６の長手方向の両端から、開口３２１４および第４板部３２０８の下面を通り巻線の軸心方向に沿って各鉄心１８Ａ、１８Ｂが挿通される。
そして、２つの鉄心１８の磁脚部１８１０の先端が当接することにより、それら２つの磁脚部１８１０を通る磁路が形成されてトランス１０が構成される製造工程は第５の実施の形態と同様である。
第５の実施の形態では、第１、第２の２つのボビン１２Ａ、１２Ｂを用いてトランス１０を構成したので、４つの２次巻線１６を用いて８個の陰極管Ｌを駆動できるのに対し、第６の実施の形態では、１つのボビン１２を用いてトランス１０を構成したので、２つの２次巻線１６を用いて４個の陰極管Ｌを駆動できる点が第５の実施の形態と異なっており、その他の効果は第５の実施の形態と同様である。
【００４６】
（第７の実施の形態）
次に第７の実施の形態について説明する。
図１７は第７の実施の形態のトランス１０を用いたバックライト装置１００の構成を示す回路図である。
第７の実施の形態は、陰極管Ｌとして熱陰極管（HCFT:Hot Cathode Fluorescent Tube）を用いたものである。
そのため、第７の実施の形態では、熱陰極管の電極（フィラメント）を加熱させるための構成を加えた点が第１の実施の形態と異なっており、その他の構成は第１の実施の形態とほぼ同様である。
図１７に示すように、バックライト装置１００は、陰極管Ｌと、トランス１０、第１の電源１０２、第２の電源１０４、バックライト制御／駆動回路１０６、スイッチング回路１０８、出力電圧検出回路１１０、出力電流検出回路１１２、ヒータトランス１２０、第３の電源１２２などを含んで構成されている。陰極管Ｌとヒータトランス１２０と第３の電源１２２を除く各部は第１の実施の形態と同様に構成されているため、それらの説明は省略する。
陰極管Ｌは第１乃至第８の陰極管Ｌ１〜Ｌ８を含み、トランス１０から供給される第２の高周波電圧によって発光するものである。
また、陰極管Ｌは、熱陰極管で構成されていることから、陰極管Ｌの２つの電極に前記第２の高周波電圧を印加すると共に、それら２つの電極を加熱する必要がある。
本実施の形態では、各陰極管Ｌの一方の電極を加熱するためにトランス１０を用い、他方の電極を加熱するためにヒータトランス１２０を用いている。
【００４７】
本実施の形態では、トランス１０は、第１の実施の形態と同様に、第１の１次巻線１４Ａと、第１、第２の２次巻線１６Ａ、１６Ｂからなる第１のトランス１０Ａと、第２の１次巻線１４Ｂと、第３、第４の２次巻線１６Ｃ、１６Ｄからなる第２のトランス１０Ｂとの２つのトランスで構成され、第１、第２の２次巻線１４Ａ、１４Ｂが直接接続されたものである。
また、第１の１次巻線巻回部１５Ａと第１、第２の２次巻線巻回部１７Ａ、１７Ｂとの間に形成されたそれぞれのギャップＧと、第２の１次巻線巻回部１５Ｂと第３、第４の２次巻線巻回部１７Ｃ、１７Ｄとの間に形成されたそれぞれのギャップＧの寸法、および、各結合係数Ｋについても第１の実施の形態と同様に形成されている。
【００４８】
また、第１のトランス１０Ａの第１の１次巻線１４Ａの一端はスイッチング回路１０８（コンデンサＣ０）からの第１の高周波電圧が入力される入力端として構成され、第１の１次巻線１４Ａの他端は第２の１次巻線１４Ｂの一端に接続され、第２の１次巻線１４Ｂの他端はアースに接続されている。すなわち、第１の１次巻線１４Ａと第２の１次巻線１４Ｂとは直列接続されている。
第１のトランス１０Ａの第１の２次巻線１６Ａの一端は第１の陰極管Ｌ１の一方の電極に接続され、第１のトランス１０Ａの第１の２次巻線１６Ａの他端は第２の陰極管Ｌ２の一方の電極に接続されている。
第１のトランス１０Ａの第２の２次巻線１６Ｂの一端は第７の陰極管Ｌ７の一方の電極に接続され、第１のトランス１０Ａの第２の２次巻線１６Ｂの他端は第８の陰極管Ｌ８の一方の電極に接続されている。
第２のトランス１０Ｂの第３の２次巻線１６Ｃの一端は第３の陰極管Ｌ３の一方の電極に接続され、第２のトランス１０Ｂの第３の２次巻線１６Ｃの他端は第４の陰極管Ｌ４の一方の電極に接続されている。
第２のトランス１０Ｂの第４の２次巻線１６Ｄの一端は第５の陰極管Ｌ５の一方の電極に接続され、第２のトランス１０Ｂの第４の２次巻線１６Ｄの他端は第６の陰極管Ｌ６の一方の電極に接続されている。
【００４９】
また、第１のトランス１０Ａでは、第１の２次巻線１６Ａの両端に第１、第２の電極加熱用巻線部５０Ａ、５０Ｂが形成され、第２の２次巻線１６Ｂの両端に第３、第４の電極加熱用巻線部５０Ｃ、５０Ｄが形成されている。
第１の電極加熱用巻線部５０Ａの両端は、第２の陰極管Ｌ２の２つの電極（フィラメント）にそれぞれ接続されている。
第２の電極加熱用巻線部５０Ｂの両端は、第１の陰極管Ｌ１の２つの電極（フィラメント）にそれぞれ接続されている。
第３の電極加熱用巻線部５０Ｃの両端は、第８の陰極管Ｌ８の２つの電極（フィラメント）にそれぞれ接続されている。
第４の電極加熱用巻線部５０Ｄの両端は、第７の陰極管Ｌ７の２つの電極（フィラメント）にそれぞれ接続されている。
【００５０】
また、第２のトランス１０Ｂでは、第３の２次巻線１６Ｃの両端に第５、第６の電極加熱用巻線部５０Ｅ、５０Ｆが形成され、第４の２次巻線１６Ｄの両端に第７、第８の電極加熱用巻線部５０Ｇ、５０Ｈが形成されている。
第５の電極加熱用巻線部５０Ｅの両端は、第３の陰極管Ｌ３の２つの電極（フィラメント）にそれぞれ接続されている。
第６の電極加熱用巻線部５０Ｆの両端は、第４の陰極管Ｌ４の２つの電極（フィラメント）にそれぞれ接続されている。
第７の電極加熱用巻線部５０Ｇの両端は、第５の陰極管Ｌ５の２つの電極（フィラメント）にそれぞれ接続されている。
第８の電極加熱用巻線部５０Ｈの両端は、第６の陰極管Ｌ６の２つの電極（フィラメント）にそれぞれ接続されている。
【００５１】
ヒータトランス１２０は、第３の電源部１２２から供給される電圧を変圧して、第１乃至第８の陰極管Ｌ１〜Ｌ８の他方の電極（フィラメント）に供給することで、それら他方の電極を加熱するように構成されている。
【００５２】
したがって、スイッチング回路１０８からトランス１０に供給された第１の高周波電圧はトランス１０によって高電圧の第２の高周波電圧に変換されて各陰極管Ｌ１〜Ｌ８に供給され、したがって、各陰極管Ｌ１〜Ｌ８に電流が供給される。
また、これと同時に、トランス１０の各電極用巻線部５０Ａ〜５０Ｈを介して各陰極管Ｌ１〜Ｌ８の一方の電極に加熱用の電流が供給されるとともに、ヒータトランス１２０から各陰極管Ｌ１〜Ｌ８の他方の電極に加熱用の電流が供給される。
これにより、各陰極管Ｌ１〜Ｌ８が発光する。
【００５３】
このような第７の実施の形態によれば、熱陰極管からなる陰極管Ｌ１〜Ｌ８を発光させることができ、第１の実施の形態と同様の効果が奏される。
【図面の簡単な説明】
【００５４】
【図１】本実施の形態のトランス１０の構成を示す分解図である。
【図２】トランス１０の要部の構成を示す分解図である。
【図３】（Ａ）は図１のＡ矢視図、（Ｂ）は図１のＢ矢視図である。
【図４】図１のＹＹ線断面図である。
【図５】図４のＡ矢視図である。
【図６】図４のＢＢ線断面図である。
【図７】図４のＣＣ線断面図である。
【図８】図１のＡＡ線から見たトランス１０の断面図である。
【図９】トランス１０を用いたバックライト装置１００の構成を示す回路図である。
【図１０】ギャップＧおよび結合係数Ｋを変化させた際における陰極管Ｌの電流（ランプ電流）ＩＬとその電流のばらつきαの測定結果を示す図である。
【図１１】同測定結果のデータを示す図である。
【図１２】表示装置２００の構成を示すブロック図である。
【図１３】第３の実施の形態のバックライト装置１００の構成を示すブロック図である。
【図１４】第４の実施の形態のトランス１０の断面図である。
【図１５】（Ａ）は第５の実施の形態のトランス１０の平面図、（Ｂ）は（Ａ）のＸＸ線断面図である。
【図１６】（Ａ）は第６の実施の形態のトランス１０の平面図、（Ｂ）は（Ａ）のＸＸ線断面図である。
【図１７】第７の実施の形態のトランス１０を用いたバックライト装置１００の構成を示す回路図である。
【符号の説明】
【００５５】
１０……トランス、１４……１次巻線、１５……１次巻線巻回部、１６……２次巻線、１７……２次巻線巻回部、Ｇ……ギャップ、Ｌ１〜Ｌ８……陰極管、１００……バックライト装置、２００……表示装置。
【図１】
2008153384.tif 000003
【図２】
2008153384.tif 000004
【図３】
2008153384.tif 000005
【図４】
2008153384.tif 000006
【図５】
2008153384.tif 000007
【図６】
2008153384.tif 000008
【図７】
2008153384.tif 000009
【図８】
2008153384.tif 000010
【図９】
2008153384.tif 000011
【図１０】
2008153384.tif 000012
【図１１】
2008153384.tif 000013
【図１２】
2008153384.tif 000014
【図１３】
2008153384.tif 000015
【図１４】
2008153384.tif 000016
【図１５】
2008153384.tif 000017
【図１６】
2008153384.tif 000018
【図１７】
2008153384.tif 000019